(57)【特許請求の範囲】
【請求項１】
歯科用チェアユニットの配水管終端部分に設けられた排水処理装置であって、
（１）、開閉電磁弁を介して前記排水管の吐出口に接続された第１の導水口と、開閉電磁弁を介して酸性水並びにアルカリ水生器の酸性水の吐出口に接続された第２の導水口と、また開閉電磁弁を介して次段の酸性水とアルカリ水を混合中和する中和用タンクの第１の導水口に接続された吐出口を備えた滅菌用タンクと、
（２）、開閉電磁弁を介して水道管に接続された導水口と、開閉電磁弁を介して滅菌用タンクに酸性水を注入する第１の吐出口及び開閉電磁弁を介して中和用タンクにアルカリ水を注入する第２吐出口とを備えた電解による酸性水・アルカリ水生成器と、
（３）、開閉電磁弁を介して前記滅菌用タンクの吐出口に接続された第１の導水口と、開閉電磁弁を介して酸性水・アルカリ水生成器のアルカリ水の吐出口に接続された第２の導水口と、開閉電磁弁を介して外部の排水管に接続された吐出口を備えた中和用タンクと、
（４）、前記各開閉電磁弁を、滅菌用タンクと酸性水・アルカリ水生成器及び中和用タンクが有する水位センサからの水位信号によって、又は殺菌用タンク内のｐＨ値の測定値により開閉制御する電磁弁開閉制御部と、
（５）、前記酸性水・アルカリ水生成器及び電磁弁開閉制御部用の電源部、とを備えてなることを特徴とする歯歯科用チェアユニットの排水処理装置。
【請求項２】
歯科用チェアユニットの排水管の終端に、排水一時貯留タンクを設け、滅菌用タンクの第１の導水口が開閉電磁弁を介して前記排水一時貯留タンクの吐出口に接続されることを特徴とする請求項１に記載の歯科用チェアユニットの排水処理装置。
【請求項３】
歯科用チェアユニットの排水管終端部分に設けられた排水処理装置であって、
（１）、排水管の吐出口に接続された第１の導水口と、開閉電磁弁を介して酸性水並びにアルカリ水生成器の酸性水の吐出口に接続された第２の導水口と、
オーバーフローした処理水を次段の中和用タンクに送出する溢水口を備えた滅菌用タンクと、
（２）、オーバーフローした処理水を受ける第１の導水口と、
開閉電磁弁を介して酸性水並びにアルカリ水生成器のアルカリ水の吐出口に接続された第２の導水口と、
オーバーフローした処理水を外部の排水管に放出する吐出口を備えた中和用タンクと、（３）、開閉電磁弁を介して水道管に接続された導水口と、
前記滅菌用タンクの第２の導水口並びに前記中和用タンクの第１の導水口に各接続された吐出口を備えた電解による酸性水・アルカリ水生成器と、
（４）、各開閉電磁弁を、スピットン及びバキュームの排水信号により、又は酸性水・アルカリ水生成器の水位信号によって、又は滅菌用タンクのｐＨの測定値により開閉制御する電磁弁開閉制御部と、
（５）、前記酸性水・アルカリ水生成器及び電磁弁開閉制御部用の電源部とを備えてなることを特徴とする歯歯科用チェアユニットの排水処理装置。
【請求項４】
酸性水並びにアルカリ水生成装置が、水を電気分解して生成することを特徴とする請求項１〜３のいずれか１項記載の歯科用チェアユニットの排水処理装置。
【請求項５】
滅菌用タンクが、歯科用チェアユニットからの排水と、酸性水並びにアルカリ水生成器から吐出される酸性水とを混合して、排水内の病原菌を殺菌することを特徴とする請求項１〜４のいずれか１項記載の歯科用チェアユニットの排水処理装置。
【請求項６】
中和用タンクが、滅菌用タンクからの排水と酸性水との混合水に、酸性水並びにアルカリ水生成器から吐出されるアルカリ水とを混合して、酸性を中和し中性の処理水とすることを特徴とする請求項１〜５のいずれか１項に記載の歯科用チェアユニットの排水処理装置。
【発明の詳細な説明】
【０００１】
【発明の属する技術分野】
本発明は、歯科用チェアユニットの排水処理装置に係り、特に配水管の終端吐出口からの排水を、酸性水を用いて殺菌し、その後アルカリ水により中和し、中性の処理水として外部に放出する装置に関する。
【０００２】
【従来の技術】
従来、歯科用チェアユニットの排水処理は、歯科治療開始前又は終了後に殺菌水を水回路に導入し、全水回路の排水管内を清浄にする手段が提案されているが、治療中においては患者に対し殺菌水を使用することは規制されており、この間随時流される排水には患者の有害な病原菌等が混入しているおそれがあった。また、酸性の殺菌水を使用した場合、外部に排出した後も酸性が残る場合があった。
また、 排水を外部の汚水処理場まで導き、そこで処理してから放出する手段も提案されているが実用上問題があった。
【０００３】
【発明が解決しようとしている課題】
上記のように、歯科の治療に際しては、患者の口腔内の唾液、血液、膿、痰、歯垢等の汚染源に含まれた有害な病原菌が、各種の排水内に混入されるおそれがあるが、単なるフィルタ等では除去できない。  また、排水を外部の汚水処理場まで導き処理してから放出するには、その施設を要するが、一般に歯科医院等は小規模であり実施は困難な場合が多かった。
さらに、酸性の殺菌水を使用した場合、外部に排出後も酸性が残る場合があり、金属製例えば、鉄製の排水管内に錆を発生させる場合があった。
従って、個々の歯科用チェアユニットの排水の吐出口において滅菌処理した後、酸性を中和してから外部に放出することが、環境汚染問題上望まれている。
本発明は、以上の課題を解決する排水処理装置を提供する。
【０００４】
【課題を解決するための手段】
本発明者等は、上記に鑑み鋭意実験研究の結果、下記の手段により、これらの課題を解決した。
〔１〕歯科用チェアユニットの配水管終端部分に設けられた排水処理装置であって、（１）、開閉電磁弁を介して前記排水管の吐出口に接続された第１の導水口と、開閉電磁弁を介して酸性水並びにアルカリ水生器の酸性水の吐出口に接続された第２の導水口と、また開閉電磁弁を介して次段の酸性水とアルカリ水を混合中和する中和用タンクの第１の導水口に接続された吐出口を備えた滅菌用タンクと、（２）、開閉電磁弁を介して水道管に接続された導水口と、開閉電磁弁を介して滅菌用タンクに酸性水を注入する第１の吐出口及び、開閉電磁弁を介して中和用タンクにアルカリ水を注入する第２吐出口とを備えた電解による酸性水・アルカリ水生成器と、（３）、開閉電磁弁を介して前記滅菌用タンクの吐出口に接続された第１の導水口と、開閉電磁弁を介して酸性水・アルカリ水生成器のアルカリ水の吐出口に接続された第２の導水口と、開閉電磁弁を介して外部の排水管に接続された吐出口を備えた中和用タンクと、（４）、前記各開閉電磁弁を、滅菌用タンクと酸性水・アルカリ水生成器及び中和用タンクが有する水位センサからの水位信号によって、又は殺菌用タンク内のｐＨ値の測定値により開閉制御する電磁弁開閉制御部と、（５）、前記酸性水・アルカリ水生成器及び電磁弁開閉制御部用の電源部、とを備えてなることを特徴とする歯歯科用チェアユニットの排水処理装置。
【０００５】
〔２〕歯科用チェアユニットの排水管の終端に、排水一時貯留タンクを設け、滅菌用タンクの第１の導水口が開閉電磁弁を介して前記排水一時貯留タンクの吐出口に接続されることを特徴とする〔１〕項に記載の歯科用チェアユニットの排水処理装置。
〔３〕歯科用チェアユニットの排水管終端部分に設けられた排水処理装置であって、（１）、排水管の吐出口に接続された第１の導水口と、開閉電磁弁を介して酸性水並びにアルカリ水生成器の酸性水の吐出口に接続された第２の導水口と、オーバーフローした処理水を次段の中和タンクに送出する溢水口を備えた滅菌用タンクと、（２）、オーバーフローした処理水を受ける第１の導水口と、開閉電磁弁を介して酸性水並びにアルカリ水生成器のアルカリ水の吐出口に接続された第２の導水口と、オーバーフローした処理水を外部の排水管に放出する吐出口を備えた中和用タンクと、（３）、開閉電磁弁を介して水道管に接続された導水口と、前記滅菌用タンクの第２の導水口並びに前記中和用タンクの第１の導水口に各接続された吐出口を備えた電解による酸性水・アルカリ水生成器と、（４）、各開閉電磁弁を、スピットン及びバキュームの排水信号により、又は酸性水・アルカリ水生成器の水位信号によって、又は滅菌用タンクのｐＨの測定値により開閉制御する電磁弁開閉制御部と、（５）、前記酸性水・アルカリ水生成器及び電磁弁開閉制御部用の電源部とを備えてなることを特徴とする歯歯科用チェアユニットの排水処理装置。
〔４〕酸性水並びにアルカリ水生成装置が、水を電気分解して生成することを特徴とする〔１〕〜〔３〕項のいずれか１項記載の歯科用チェアユニットの排水処理装置。
〔５〕滅菌用タンクが、歯科用チェアユニットからの排水と、酸性水並びにアルカリ水生成器から吐出される酸性水とを混合して、排水内の病原菌を殺菌することを特徴とする〔１〕〜〔４〕項のいずれか１項記載の歯科用チェアユニットの排水処理装置。
〔６〕中和用タンクが、滅菌用タンクからの排水と酸性水との混合水に、酸性水並びにアルカリ水生成器から吐出されるアルカリ水とを混合して、酸性を中和し中性の処理水とすることを特徴とする〔１〕〜〔５〕項のいずれか１項に記載の歯科用チェアユニットの排水処理装置。
【０００６】
【発明の実施の形態】
以下、図面に基づいて発明の実施の形態を説明する。
図１は排水処理装置を有する歯科用チェアユニットの平面図、
図２は排水処理装置を有する歯科用チェアユニットの正面図である。
図において、１は歯科用チェアユニット、２はチェア、３はフットスイッチ、４は補助テーブル、５はスピットン、６はライトアーム、７は水回路収納部、８は給・排水管設置部、９は排水処理装置収納部を示す。
排水処理装置は水回路収納部７の下部スペースに配設されている給・排水設置部８に接した後部の排水処理装置収納部９に配設されている。
なお、排水処理装置は歯科用チェアユニット１の近傍に配設してもよい。
【０００７】
図３は、排水処理装置の構成を示すブロック図である。
図において、１０は吸引方向、１１は吸引チューブ、１２はバキュームフィルタ、１３はバキュームタンク吸引方向、１４は吸引チューブ、１５は給気口、１６は合同排水、１７はバキュームタンク、１８はバキュームタンクの排水、１９、２０は排水管、２１はスピットンの排水、２２は排水トラップ、２３は排水管、２３ａは導水口、２４は排水一時貯留タンク、２５は貯留排水、２６は吐出口、２７は導水口、２８は滅菌用タンク、２８ａは導水口、２９は排水・酸性水の混合液、２９ａは吐出口、３０は電源部、３０ａは電極用導線、３１は水道水、３１ａは導水管、３２は導水口、３２ａ、３２ｂは吐出口、３３は酸性水・アルカリ水生成器、３４は電極、３５は酸性水、３６は酸性水導管、３７は処理排水管、３８は外部排水管、４０ａ、４０ｂ、４０ｃ、４０ｄ、４０ｅ、４０ｆは開閉電磁弁、４１はｐＨセンサ、４１ａはｐＨ信号線、４２はｐＨ計、４３ａ、４３ｂ、４３ｃ、４３ｄ、４３ｅ、４３ｆ、４３ｇ、４３ｈは水位センサ、４４はｐＨ値調節指示部、４５は電磁弁開閉制御部、４６は隔膜、４７はアルカリ水、４８は中和用タンク、４８ａ、４８ｂは導水口、５１は水位信号線、５２は電源制御信号線、５３はアルカリ水導管、６５は中和された処理水を示す。
【０００８】
事例は、落差を利用した排水処理装置である。
図示したように合同排水１６が流れる排水管２３からの排水は、導水口２３ａから排水一時貯留タンク２４に貯留される。
そして、第１の導水口２７が開閉電磁弁４０ａを介して前記一時貯留タンク２４の吐出口２６に接続され、また第２の導水口２８ａが開閉電磁弁４０ｃを介して酸性水・アルカリ水生成器３３の酸性水３５に接続された排水２５と酸性水３５を混合する滅菌用タンク２８によって、両者が混合され、排水２５に含まれた菌類は酸性水３５によって滅菌される。
そして、上記滅菌用タンク２８の吐出口２９ａは、開閉電磁弁４０ｅを介して次段の酸性水とアルカリ水を混合中和する中和用タンク４８の第１の導入口４８ａに接続され、また、上記中和用タンク４８の第２の導入口４８ｂは、開閉電磁弁４０ｄを介して、次記酸性水・アルカリ水生成器３３のアルカリ水４７に接続されている。
この中和用タンク４８において、排水と酸性水が混合された滅菌水２９と、酸性水・アルカリ水生成器３３のアルカリ水４７とを混合中和し、中性の処理水６５として、開閉電磁弁４０ｆを介して処理排水管３７より、外部排水管３８に放出する。
【０００９】
そして、前記滅菌用タンク２８に開閉電磁弁４０ｃを介して酸性水３５を注入し、また、前記中和用タンク４８に開閉電磁弁４０ｄを介してアルカリ水４７を注入するための、導水口３２が水道水３１に開閉電磁弁４０ｂを介して接続された電解による酸性水・アルカリ水生成器３３が配設されている。
この生成器３３は電極３４の中間に隔膜４６が設けられており、陰極側に酸性水３５が、陽極側にアルカリ水４７が生成される。
例えば、酸性水の適性値は、ｐＨ値５．０〜７．０、有効塩素濃度３０〜５０ｐｐｍを必要とし、アルカリ水の値は、ｐＨ７．０以上を生成させる。
また、歯科用チェアユニットの１日（８時間）の排水量は、約１０リットルである。さらに排水は断続的に発生するが、１度の発生量は多くないので、酸性水並びにアルカリ水の生成量は２リットル／分以下でよい。
そして、電解型の場合、陰極への付着物を軽減させるため、適時陰極と陽極とを切り替えて、電源を供給することが望ましい。
ただし、この場合槽が逆になるため、開閉電磁弁４０ｃ、４０ｄが逆になる（図示せず）。
【００１０】
次に、合同排水１６を滅菌処理して放出する迄の順序について説明する。
前記各開閉電磁弁４０ａ、４０ｂ、４０ｃ、４０ｄ、４０ｆ、４０ｄは、滅菌用タンク２８と酸性水・アルカリ水生成器３３及び中和用タンク４８が有する水位センサ４３ａ、４３ｂ、４３ｃ、４３ｄ、４３ｅ、４３ｆ、４３ｇ、４３ｈからの水位信号によって、あるいは滅菌用タンク２８内のｐＨ値によりｐＨ調節指示部４４と電磁弁開閉制御部４５経由電源部３０の通電量を調整するｐＨ調節系と、又は両者からの信号により前記電磁弁を開閉制御する電磁弁開閉制御部４５により、各タンクの開閉が行われる。
また、前記酸性水・アルカリ水生成器３３及び電磁弁開閉制御部４５用の電源部３０を有し、各々に所要電源を供給している。
【００１１】
始業前、電磁弁４０ａ〜４０ｆは閉じられており、また、酸性水・アルカリ生成器３３及び各タンクは空の状態なっているものとする。
▲１▼、最初に、開閉電磁弁４０ｂを開き、水道水３１を導水管３１ａ経由導水口３２から酸性水・アルカリ生成器３３に、水位センサ４３ａの位置まで注水して閉じる。
▲２▼、電源部３０をＯＮにし、電極３４に所要時間通電し、酸性水３５並びにアルカリ水４７を生成する。
▲３▼、開閉電磁弁４０ｃを開き、酸性水導管３６経由滅菌タンク２８に導水口２８ａから水位センサ４３ｄの位置まで注入貯留する。
また、開閉電磁弁４０ｄを開き、アルカリ水導管５３経由中和用タンク４８に導水口４８ｂから水位センサ４３ｇの位置まで注入貯留する。
▲４▼、酸性水・アルカリ水生成器３３が空になると、開閉電磁弁４０ｃ及び４０ｄを閉じて、上記▲１▼〜▲２▼項のようにして、酸性水３５並びにアルカリ水４７を生成しておく。
以上が、始業前の準備状態である。
【００１２】
歯科診療が開始され、
▲１▼、電磁弁４０ａが開き、排水管２３には合同排水１６が施術者が水回路を使用する都度流れ、排水一時貯留タンク２４の底部を経由した排水は吐出口２６から吐出され、導水口２７から滅菌タンク２８に注入される。
▲２▼、そして、前記貯留されている酸性水３５と徐々に混合され滅菌される。
▲３▼、また、混合時のｐＨ値を、ｐＨセンサ４１で検出ｐＨ計４２で指示し、所要値を監視すると共に、酸性水・アルカリ水生成器３３の供給電力値を制御してもよい。
▲４▼、上記排水・酸性水の混合液２９が次第に増加し、水位センサ４３ｃの位置に達すると、開閉電磁弁４０eが開き滅菌された混合液は、吐出口２９ａから次段の中和用タンク４８に放出される。
▲５▼、また上記、放出している間は前記開閉電磁弁４０ａは閉じられ、その間の合同排水１６は一時貯留タンク２４に貯留される。
前記の放出時間は短いので、貯留排水が溢れることはない。
▲６▼、前記放出された排水・酸性水２９（滅菌水）は中和用タンク４８内で増加し、貯留されているアルカリ水４７と混合中和され、中性の処理水となる。
▲７▼、そして、水位センサ４３ｆに達すると、開閉電磁弁４０ｆが開き排水管３７から外部排水管３８に放出される。
以上の工程で、処理水放出の最初の１サイクルが終わる。
【００１３】
次のサイクルでは、以下の工程となる。
▲１▼、処理水放出後、滅菌タンク２８及び中和用タンク４８は空になる（水位センサ４３ｅ及び４３ｈ検出）、ので、前回同様に開閉電磁弁４０ａを閉じて、開閉電磁弁４０ｃを開き、酸性水３５を、酸性水導管３６経由滅菌タンク２８に、導水口２８ａから水位センサ４３ｄの位置まで注入し貯留する。
また、開閉電磁弁４０ｄを開き、アルカリ水導管５３経由中和用タンク４８に導水口４８ｂから水位センサ４３ｇの位置まで注入貯留する。
▲２▼、開閉電磁弁４０ａを開き、前記一時貯留タンク２４の貯留排水２５を、滅菌用タンク２８に導水口２７経由注入し、上記貯留されている酸性水３５と徐々に混合させ滅菌する。
▲３▼、上記排水・酸性水の混合液２９が次第に増加し、水位センサ４３ｃの位置に達すると、開閉電磁弁４０ｅが開き滅菌された混合液は、吐出口２９ａから次段の中和用タンク４８に放出される。
▲５▼、また上記、放出している間は前記開閉電磁弁４０ａは閉じられ、その間の合同排水１６は一時貯留タンク２４に貯留される。
前記の放出時間は短いので、貯留排水が溢れることはない。
▲６▼、前記放出された排水・酸性水の混合液２９（滅菌水）は中和用タンク４８内で増加し、貯留されているアルカリ水４７と混合中和され、中性の処理水となる。
▲７▼、そして、水位センサ４３ｆに達すると、開閉電磁弁４０ｆが開き排水管３７から外部排水管３８に放出される。
このサイクルが一日数回繰り返される。
【００１４】
終業時には、１旦全ての開閉電磁弁４０ａ〜４０ｆを開にして、貯留排水２５、排水・酸性水の混合液２９、酸性水３５及びアルカリ水４７を放出した後、再び開閉電磁弁４０ａ〜４０ｆを閉じて、次の始業時の準備をしておく。
以上で、始業〜終業までの排水処理の全工程が完了する。
【００１５】
図４は排水管より直接導入式の排水処理装置のブロック図である。
図４は、図３から排水一時貯留タンク２５を削除し、排水管の終端を直接滅菌用タンク２８に導入したもので、他は図３と同じである。
ただし、排水一時貯留タンクをなくしたため、滅菌用タンク２８の吐出口２９ａより処理水を放出する際に排水管末端の開閉電磁弁４０ａが閉じられた時、たまたま発生した排水が排水管内を逆流しないように排水管を長大にしておく等の処置を必要とする。
また、作用と作業工程は前項図３の事例と同様のため省略する。
【００１６】
図５は、排水オーバーフロー方式の排水処理装置のブロック図である。
図において、５０は信号線、５５はバキュームタンクの排水信号発生器、５６はスピットンの排水信号発生器、５７、５９は排水信号線、４９、６０はオーバーフロー吐出口、６１はうがい水、６２は鉢洗い、６３は攪拌翼、６４は回転機、６５は中性の処理水、６７はメインスイッチ、６８は吸引指令、６９は排水管を示す。
図示したように、滅菌用タンク２８は、片方の導水口２７は排水管２３の吐出口２７に接続され、また他方の導水口２８ａは、水道水３１に開閉電磁弁４０ｂを介して導水口３２が接続され吐出口３２ａが前記滅菌用タンク２８に接続された電解による酸性水・アルカリ水生成器３３の酸性水３５に開閉電磁弁４０ｃを介して接続され、さらにオーバーフローした処理水用の吐出口４９は、排水管６９を経由次段の中和用タンク４８の導水口４８ａに接続されている。
【００１７】
また、中和用タンク４８は、第１の導水口４８ａは上記滅菌用タンク２８に、また、第２の導水口４８ｂは、酸性水・アルカリ水生成器３３のアルカリ水４７に開閉電磁弁４０ｄを介して接続され、また、混合中和された中性処理水６５は、吐出口６０からオーバーフローした分を流し、その処理水６５は排水管６９及び３７を経由して、外部排水管３８から放出される。
そして、酸性水・アルカリ水生成器３３の酸性水３５の吐出口３２ａを開閉する開閉電磁弁４０ｃ並びに、アルカリ水４７の吐出口３２ｂ開閉する開閉電磁弁４０ｄは、スピットンの排水信号器５６による排水信号並びにバキュームタンク１７の排水信号器５６による排水信号の開閉指令に同期して開閉される。
【００１８】
次に、この排水オーバーフロー方式により、合同排水１６を滅菌及び中和処理して放出する迄の順序について説明する。
前記各開閉電磁弁４０ｂ〜４０ｄは、前記排水信号の他、酸性水・アルカリ水生成器３３が有する水位センサ４３ａ、４３ｂからの水位信号によって、あるいは滅菌用タンク２８、あるいは中和用タンク４８内のｐＨ値によりｐＨ調節指示部４４と電磁弁開閉制御部４５経由電源部３０の通電量を調整するｐＨ調節系と、又は両者からの信号により前記電磁弁ｐＨ調節系と、又は両者からの信号により前記電磁弁を開閉制御する電磁弁開閉制御部４５により開閉が行われる。
また、前記酸性水・アルカリ水生成器３３及び電磁弁開閉制御部４５用の電源部３０を有し、各に所要電源を供給している。
【００１９】
始業前、電磁弁４０ｂ〜４０ｅは閉じられており、また、酸性水・アルカリ水生成器３３と滅菌用タンク２８及び中和用タンク４８は空の状態なっているものとする。
最初に、開閉電磁弁４０ｂを開き、水道水３１を導水管３１ａ経由導水口３２から酸性水生成器３３に、水位センサ４３ａの位置まで注水して閉じ、次に電極３４に通電し酸性水３５及びアルカリ水４７を生成しておく。
【００２０】
歯科診療が開始され、
▲１▼、施術者が水回路を使用、例えばハンドピース等のインスツルーメントを、吸引指令６８によりバキュームを開にして気液分離器であるバキュームタンク１７を経由して少量を継続して排水し、あるいはスピットンの排水トラップ２２の排水を注入して上記バキュームタンク１７を洗浄する洗浄開閉信号により、バキュームタンク１７に排水を一定量貯留した後、バキュームタンク吸引１３を閉じてタンク上部の真空を解除し貯留排水を放出するが、
上記の排水の開閉信号を排水信号器５５により検出し、排水信号線５７、５９を経由して開閉電磁弁制御部４５によって開閉電磁弁４０ｃを開閉する。
▲２▼、前記によって、滅菌用タンク２８には、排水信号が開になったとき排水管１９、２３を経由した排水が吐出口２７より注入される。
一方、開になった開閉電磁弁４０ｃからは前記酸性水３５が注入され、両液は混合されて、排水中の菌は滅菌される。
▲３▼、また、うがい水６１、鉢洗い６２等のスピットンの水回路が使用されると、スピットン５の注水、排水を指令する排水信号発生器５６からの信号は、排水信号線、５９を経由して開閉電磁弁制御部４５を作動させ、前記注水、排水の指令と同期して開閉電磁弁４０ｃを開閉させる。
上記によって、滅菌用タンク２８には、排水管２０、２３を経由した排水が注入される。
一方、開になった開閉電磁弁４０ｃからは、前記酸性水３５が注入され、両液は混合されて、排水中の菌は滅菌される。
【００２１】
▲４▼、以上によって、滅菌用タンク２８には、バキュームタンク１７を排水する都度、及びスピットン５のうがい水６１、鉢洗い６２の排水の都度、排水が注入されると同時に、酸性水生成器３３から酸性水３５が注入されて混合される。
そして、前記滅菌水２９が次第に増量して、オーバーフロー用溢水口４９に達すると、排水管から次段の中和用タンク４８に放出される。
従って滅菌タンク２８内は、常時排水・酸性水の混合液２９（滅菌水）が停留されトラップの状態になっている。
▲５▼、また、滅菌用タンク２８内に例えば攪拌翼６３を配設して、攪拌して混合を促進させてもよい。さらに外部にある攪拌翼６３用の回転機６４は、メインスイッチ６７に対応してＯＮ、ＯＦＦさせてもよい。
さらに、滅菌用タンク２８を清掃するため、底部に排水管を設け、底部からの放出を開閉電磁弁４０ｅを介して行う。清掃は、例えばメインスイッチ６７と同期して行ってもよい。
▲６▼、そして、次段の中和用タンク４８は、前記オーバーフローした滅菌用水によって次第に増量してゆくが、その流れを流量センサ７０により検知し、排水信号線７１を経由して開閉電磁弁制御部４５を作動させ、開閉電磁弁４０ｄを開にし、中和用タンク４８には、排水管７２を経由したアルカリ水４７が注入され、両液は混合中和される。
そして、中性の処理水６５はオーバーフロー用溢水口６０に達すると、排水管６９及び３７を経由して外部の排水管３８に放出する。
▲７▼、また、中和用タンク４８内に例えば攪拌翼６３を配設して、攪拌して混合を促進させてもよい。さらに外部にある攪拌翼６３用の回転機６４は、メインスイッチ６７に対応してＯＮ、ＯＦＦさせてもよい。
さらに、中和用タンク２８を清掃するため、底部に排水管を設け、底部からの放出を開閉電磁弁４０ｆを介して行う。清掃は、例えばメインスイッチ６７と同期して行ってもよい。
【００２２】
▲８▼、以上の作動中、酸性水・アルカリ水生成器３３から酸性水３５及びアルカリ水４７が放出され空になると、水位センサ４３ｂが検知して開閉電磁弁４０ｃ、４０ｄを閉じ、また開閉電磁弁４０ｂを開にし水位センサ４３ａの位置まで注水し、電極３４に電源部３０から通電して酸性水３５及びアルカリ水４７を、繰り返し生成する。
また終業時には、前記開閉電磁弁４０ｂは閉じ、開閉電磁弁４０ｃ、４０ｄは開とし、内部の酸性水３５とアルカリ水４７は放出される。
以上が一日のサイクルである。
この方式によれば常時滅菌用タンク２８及び中和用タンク４８をオーバーフローした処理水を外部に放出するため、排水路の開閉機構が簡便である。
【００２３】
【発明の効果】
本発明によれば次のような優れた効果を発揮することができる。
１、本発明の請求項１の発明によれば、
歯科用チェアユニットの排水管の終端に設けられた排水一時貯留タンクと、電解による酸性水・アルカリ水生成器と、排水と酸性水を混合する滅菌用タンク及び酸性水とアルカリ水を中和する中和用タンク並びに、その間を開閉電磁弁を介して連結し、また前記各タンク並びに酸性水・アルカリ水生成器が有する水位センサからの信号又は、滅菌用タンク内のｐＨ値により開閉制御する電磁弁開閉制御部と、電源部を備えてなるため、歯科の治療に際し患者の口腔内に含まれた病原菌が混入した各種の排水を、個々の歯科用チェアユニットの排水の吐出口において滅菌処理でき、さらに、酸性の滅菌水を中和して中性として排出するため、外部の例えば鉄製の排水管の防錆も行うことができる。
従って、望まれている環境汚染問題を容易な手段で解決することができる。
また、この方式によれば、歯科用チェアユニットの終端以降の排水処理を行うため、チェアユニット内の排水形式に関係なく、既製のどのチェアユニットにも適用できまた、排水と酸性水及び処理水とアルカリ水との混合を的確に行うことができる。
【００２４】
２、請求項２の発明によれば、
歯科用チェアユニットの排水管の終端に、排水一時貯留タンクを設けたため、処理時排水が排水管内を逆流するおそれがなく、また滅菌用タンクへの注水を定量的に行うことができる。
３、請求項３の発明によれば、
歯科用チェアユニットの第１の導水口が排水管の吐出口に接続され、第２の導水口が、スピットンの排水信号並びにバキュームの排水信号による開閉電磁弁を介して酸性水並びにアルカリ水生成器の酸性水の吐出口に接続されて混合滅菌し、また吐出口が、オーバーフローした処理水を次段の中和タンクに送出する滅菌用タンクと、第１の導水口が、オーバーフローした処理水を受け、第２の導水口が開閉電磁弁を介して酸性水並びにアルカリ水生器のアルカリ水の吐出口に接続されて混合中和し、また、吐出口が、オーバーフローした処理水を外部の排水管に放出する前記中和用タンクと、導水口が水道水に開閉電磁弁を介して接続された電解による酸性水・アルカリ水生成器とからなり、
上記排水が行われる都度、まず滅菌用タンクに酸性水を注入混合して滅菌し、トラップ状のタンクから常時オーバーフローした滅菌処理水を次段の中和用タンクに放出し、また中和用タンクでは、前記酸性の滅菌処理水にアルカリ水を注入混合して、中和し、トラップ状のタンクから常時オーバーフローした中性の処理水を外部の排水管に放出することができるため、排水路の開閉機構が簡便であり、容易な手段で環境汚染問題を解決することができる。
【００２５】
４、請求項４の発明によれば、
酸性水・アルカリ水生成器が、水道水を電解して行うため、容易に滅菌用酸性水並びにアルカリ水を生成することができる。
５、請求項５の発明によれば、
滅菌用タンクが、歯科用チェアユニットからの排水と酸性水・アルカリ生成器からの酸性水とを混合して排水内の病原菌を滅菌するため、処理が容易である。
６、請求項６の発明によれば、
中和用タンクが、滅菌用タンクからの排水と酸性水との混合水に、酸性水・アルカリ水生成器からのアルカリ水とを混合して酸性を中和し、中性の処理水とするため、処理が容易である。
【図面の簡単な説明】
【図１】排水処理装置を有する歯科用チェアユニットの平面図。
【図２】排水処理装置を有する歯科用チェアユニットの正面図。
【図３】排水一時貯留タンクを有する排水処理装置の構成を示すブロック図。
【図４】排水管より直接導入式の排水処理装置のブロック図。
【図５】排水オーバーフロー方式の排水処理装置のブロック図。
【符号の説明】
１：歯科用チェアユニット
２：チェア
３：フットスイッチ
４：補助テーブル
５：スピットン
６：ライトアーム
７：水回路収納部
８：給・排水管設置部
９：排水処理装置収納部
１０：吸引方向
１１：吸引チューブ
１２：バキュームフィルタ
１３：バキュームタンク吸引方向
１４：吸引チューブ
１５：給気口
１６：合同排水
１７：バキュームタンク
１８：バキュームタンクの排水
１９、２０：排水管
２１：スピットンの排水
２２：排水トラップ
２３：排水管
２３ａ：導水口
２４：排水一時貯留タンク
２５：貯留排水
２６：吐出口
２７：第１の導水口
２８：滅菌用タンク
２８ａ：第２の導水口
２９：排水・酸性水の混合液
２９ａ：吐出口
３０：電源部
３０ａ：電極用導線
３１：水道水
３１ａ：導水管
３２：導水口
３２ａ、３２ｂ：吐出口
３３：酸性水・アルカリ水生成器
３４：電極
３５：酸性水
３６：酸性水導管
３７：処理排水管
３８：外部排水管
４０ａ、４０ｂ、４０ｃ、４０ｄ、４０ｅ、４０ｆ：開閉電磁弁
４１：ｐＨセンサ ４１ａ：ｐＨ信号線
４２：ｐＨ計
４３ａ、４３ｂ、４３ｃ、４３ｄ、４３ｅ、４３ｆ、４３ｇ、４３ｈ：水位センサ
４４：ｐＨ値調節指示部
４５：電磁弁開閉制御部
４６：隔膜
４７：アルカリ水
４８：中和用タンク
４８ａ：第１の導水口
４８ｂ：第２の導水口
４９：オーバーフロー吐出口
５０：信号線
５１：水位信号線
５２：電源制御信号線５３：アルカリ水導管
５５：バキュームタンクの排水信号発生器
５６：スピットンの排水信号発生器
５７、５９：排水信号線
６０：オーバーフロー吐出口
６１：うがい水
６２：鉢洗い
６３：攪拌翼
６４：回転機
６５：中性の処理水
６７：メインスイッチ
６８：吸引指令
６９：排水管
【図１】
0004711031.tif 000002
【図２】
0004711031.tif 000003
【図３】
0004711031.tif 000004
【図４】
0004711031.tif 000005
【図５】
0004711031.tif 000006